(57)【要約】【課題】ワイヤレス簡易リモコンを少ない操作ボタンで構成でき、複数のルーバーのうちの任意のルーバーを選択して、その風向き角度の調整を容易に行う。【解決手段】空気調和機は、複数の吹出口と、複数のルーバー４〜７を備えると共に、多機能リモコン２と、ルーバー設定ボタンを有するワイヤレス簡易リモコン３を備える。また、複数のルーバー配列に対応させて配置された複数のルーバー表示手段８〜１１を備える。リモコン３のルーバー設定ボタンを操作することで何れかのルーバー表示手段を一定時間表示させ、一定時間経過毎に順次別のルーバー表示手段を表示させる。何れかのルーバー表示手段が表示されている状態で、ルーバー設定ボタンを操作すると、表示が為されている表示手段に対応するルーバーの個別設定モードになり該ルーバーをオートスイングさせ、任意の角度でルーバー設定ボタンを操作して該ルーバーの角度を固定する。【選択図】図１
2015114031.tif 000002
【特許請求の範囲】
【請求項１】
複数の吹出口と、該吹出口のそれぞれに設けられると共に風向を制御する複数のルーバーとを備えた空気調和機において、
前記空気調和機の制御を行う多機能リモコンと、
少なくともルーバー設定ボタンを有するワイヤレス簡易リモコンと、
前記ワイヤレス簡易リモコンから、設定ボタンを操作することにより、何れかの前記ルーバーを一定時間動作させ、一定時間経過毎に順次別のルーバーを動作させるように構成し、前記何れかのルーバーが動作している状態で、該ルーバーの任意の角度で前記ルーバー設定ボタンを操作すると、前記ルーバーがその角度に固定されるように制御する制御手段を備えている
ことを特徴とする空気調和機。
【請求項２】
複数の吹出口と、該吹出口のそれぞれに設けられると共に風向を制御する複数のルーバーとを備えた空気調和機において、
前記空気調和機の制御を行う多機能リモコンと、
少なくともルーバー設定ボタンを有するワイヤレス簡易リモコンと、
前記複数のルーバーの配列に対応させて配置された複数のルーバー表示手段を備え、
前記ワイヤレス簡易リモコンから、前記ルーバー設定ボタンを操作することにより、何れかの前記ルーバー表示手段を一定時間表示させ、一定時間経過毎に順次別のルーバー表示手段を表示させるように構成し、前記何れかのルーバー表示手段が表示されている状態で、前記ルーバー設定ボタンを操作すると、該表示が為されている表示手段に対応するルーバーの個別設定モードになると共に該ルーバーをオートスイングさせ、該ルーバーの任意の角度で前記ルーバー設定ボタンを操作すると、前記ルーバーがその角度に固定されるように制御する制御手段を備えている
ことを特徴とする空気調和機。
【請求項３】
請求項２に記載の空気調和機において、ルーバーの吹出し方向に存在する人間の活動量を検出できる人感センサーを、ルーバーの吹出し方向毎に備え、活動量検出値の多い方向に吹出すルーバーを優先的に操作できるように、前記人感センサーの活動量検出値に基づいて、前記表示手段の表示順序を決めるように構成していることを特徴とする空気調和機。
【請求項４】
請求項２に記載の空気調和機おいて、前記ルーバー表示手段は、前記複数のルーバーの配列に対応させて配置された複数のＬＥＤ表示であり、この複数のＬＥＤ表示は、空気調和機の下面に設けられた化粧パネルの１つのコーナーパネルに纏めて配置されていることを特徴とする空気調和機。
【請求項５】
請求項４に記載の空気調和機おいて、前記複数のＬＥＤ表示が纏めて配置された前記化粧パネルのコーナーパネルに、前記ワイヤレス簡易リモコンからの信号を受信するための受光部を設け、前記ワイヤレス簡易リモコンの信号は前記受光部に対して一方向で送信するように構成されていることを特徴とする空気調和機。
【請求項６】
請求項２に記載の空気調和機おいて、前記ルーバーは、風向を、上下方向に調整するもの、または左右方向に調整するものであることを特徴とする空気調和機。
【請求項７】
請求項４〜６の何れかに記載の空気調和機おいて、前記ＬＥＤ表示を空気調和機の設定温度に対応して色を変えて表示できるように構成していることを特徴とする空気調和機。
【発明の詳細な説明】
【技術分野】
【０００１】
本発明は、吹出口に設けたルーバーにより吹出す空気の風向制御を行うようにした空気調和機に関し、特に吸込口の周囲に吹出口を４個備えた４方向吹出し型の空気調和機に好適なものである。
【背景技術】
【０００２】
吹出口に設けたルーバーにより吹出す空気の風向制御を行うようにした空気調和機（室内ユニット）において、空気調和機の複数の吹出口に設けたルーバーの制御は、前記室内ユニットに配線接続されたワイヤード多機能リモコンからの操作により行われている。
【０００３】
また、特開２０１１−５２９３２号公報（特許文献１）に記載されているように、ワイヤード多機能リモコンの他に、複数のルーバーを個別に操作するため、前記複数のルーバーに対応した複数の調整ボタンを有するワイヤレスの個別ルーバー操作専用リモコン（簡易リモコン）を備え、各調整ボタンの操作により、操作した調整ボタンに対応するルーバーを、オートスイング運転、水平吹き運転及び下吹き運転に切替可能に構成したものも知られている。
【先行技術文献】
【特許文献】
【０００４】
【特許文献１】特開２０１１−５２９３２号公報
【発明の概要】
【発明が解決しようとする課題】
【０００５】
複数の吹出口に設けたそれぞれのルーバーにより吹出す空気の風向制御を行うようにした空気調和機において、前記ルーバーによる風向き角度の設定は、ワイヤード多機能リモコンからの操作により行なうものが多い。また、ワイヤード多機能リモコンにより、複数のルーバーの個別設定を行うことも可能である。しかし、ワイヤード多機能リモコンにより、ルーバーの個別設定を行う場合、ワイヤード多機能リモコンの設置場所まで、ユーザーが移動して設定しなければならないという課題がある。
【０００６】
また、上記特許文献１のものでは、ワイヤレスの簡易リモコン（個別ルーバー操作専用リモコン）から、複数のルーバーを個別に操作できるようにしているが、ルーバーの数に対応して同数の調整ボタンを簡易リモコンに設ける必要がある。また、簡易リモコン上の前記調整ボタンのどれが、どのルーバーに対応しているのかの判断が難しく、操作したいルーバーをスムーズに操作することができない。更に、空気調和機の据付時には、簡易リモコンの調整ボタンに対応するように設置しなければならず、据付作業も容易でないという課題もある。また、引用文献１に記載の簡易リモコンでは、各ルーバーのオートスイング運転、水平吹き運転及び下吹き運転を切替えることができるだけであり、各ルーバーの風向き角度を任意の角度に設定することはできない。即ち、簡易リモコンを少ない操作ボタンで構成し、その少ない操作ボタンを用いて簡単な操作で複数のルーバー角度を個別に設定することは困難であった。
【０００７】
本発明の目的は、ワイヤレス簡易リモコンを少ない操作ボタンで構成でき、しかも複数のルーバーのうちの任意のルーバーを選択して、その風向き角度の調整を容易に行うことができる空気調和機を得ることにある。
【課題を解決するための手段】
【０００８】
上記目的を達成するため、本発明は、複数の吹出口と、該吹出口のそれぞれに設けられると共に風向を制御する複数のルーバーとを備えた空気調和機において、前記空気調和機の制御を行う多機能リモコンと、少なくともルーバー設定ボタンを有するワイヤレス簡易リモコンと、前記ワイヤレス簡易リモコンから、設定ボタンを操作することにより、何れかの前記ルーバーを一定時間動作させ、一定時間経過毎に順次別のルーバーを動作させるように構成し、前記何れかのルーバーが動作している状態で、該ルーバーの任意の角度で前記ルーバー設定ボタンを操作すると、前記ルーバーがその角度に固定されるように制御する制御手段を備えていることを特徴とする。
【０００９】
本発明の他の特徴は、複数の吹出口と、該吹出口のそれぞれに設けられると共に風向を制御する複数のルーバーとを備えた空気調和機において、前記空気調和機の制御を行う多機能リモコンと、少なくともルーバー設定ボタンを有するワイヤレス簡易リモコンと、前記複数のルーバーの配列に対応させて配置された複数のルーバー表示手段を備え、前記ワイヤレス簡易リモコンから、前記ルーバー設定ボタンを操作することにより、何れかの前記ルーバー表示手段を一定時間表示させ、一定時間経過毎に順次別のルーバー表示手段を表示させるように構成し、前記何れかのルーバー表示手段が表示されている状態で、前記ルーバー設定ボタンを操作すると、該表示が為されている表示手段に対応するルーバーの個別設定モードになると共に該ルーバーをオートスイングさせ、該ルーバーの任意の角度で前記ルーバー設定ボタンを操作すると、前記ルーバーがその角度に固定されるように制御する制御手段を備えていることにある。
【発明の効果】
【００１０】
本発明によれば、ワイヤレス簡易リモコンを少ない操作ボタンで構成でき、しかも複数のルーバーのうちの任意のルーバーを選択して、その風向き角度の調整を容易に行うことができる空気調和機を得ることができる効果が得られる。
【図面の簡単な説明】
【００１１】
【図１】本発明の空気調和機の実施例１を示す全体斜視図。
【図２】図１に示すワイヤレス簡易リモコンを拡大して示す正面図。
【図３】図１に示す空気調和機の平面図で、実施例１における空気調和機の制御動作を説明する図。
【発明を実施するための形態】
【００１２】
以下、本発明の空気調和機の具体的実施例を図面を用いて説明する。各図において、同一符号を付した部分は同一部分を示している。
【実施例１】
【００１３】
図１は、本発明の空気調和機の実施例１を示す全体斜視図である。  
図１に示す空気調和機（室内ユニット）は、４方向吹出し型の空気調和機である。この空気調和機１は、詳細設定が可能なワイヤード多機能リモコン２と、必要最小限のボタンのみで構成されたワイヤレス簡易リモコン３とを備え、これらのリモコン２，３により操作できるように構成されている。前記ワイヤード多機能リモコンは前記空気調和機１に配線接続され、運転モード（冷房運転モード、暖房運転モードなど）の切替えや、温度設定、風量設定、吹出し風向の設定など各種の詳細な設定ができるように構成されている。
【００１４】
前記ワイヤレス簡易リモコン３は、温度設定や吹出し風向の設定など必要最小限の操作が可能な構成となっている。
【００１５】
本実施例の空気調和機１は空調空気を４方向に吹出すことのできる４方向吹出し型の空気調和機であり、空気調和機１の中央部には室内空気を吸込む吸込口が設けられ、この吸込口の周囲には、熱交換された空調空気を吹出すための吹出口が４箇所設けられている。前記４箇所設けられた吹出口のそれぞれには、吹出す空調空気の吹出し風向を制御するためのルーバー４〜７が設けられている。
【００１６】
また、空気調和機１の下面に設けられた化粧パネル１ａの４隅の１箇所には、前記複数のルーバー４〜７のルーバー配列に対応させて配置された複数（４個）のＬＥＤ表示（ルーバー表示手段）８〜１１が、コーナーパネル２１に設けられている。即ち、ルーバー４に対応する位置にＬＥＤ表示８が設けられ、また、ルーバー５に対応する位置にＬＥＤ表示９、ルーバー６に対応する位置にＬＥＤ表示１０、ルーバー７に対応する位置にＬＥＤ表示１１がそれぞれ設けられている。
【００１７】
また、本実施例では、各ルーバー４〜７の吹出し方向に存在する人の活動量をそれぞれの方向毎に検出できるように、人感センサー１２〜１５が、前記ルーバー４〜７の吹出方向に合わせて、前記化粧パネル１ａの４隅の他の１箇所（コーナーパネル２１）に設けられている。
【００１８】
２０は４個の前記ＬＥＤ表示８〜１１の中央に設けられた受光部で、前記ワイヤレス簡易リモコン３からの信号を受信するためのものである。なお、本実施例では、前記ワイヤレス簡易リモコン３の信号は、化粧パネル１ａに取り付けられた前記受光部２０に対して一方向で送信するように構成されている。
【００１９】
図２は、図１に示すワイヤレス簡易リモコンを拡大して示す正面図である。図１に示したワイヤード多機能リモコン２は、ワイヤードであるため、壁に設置されており、ユーザーが空気調和機の操作をする際には、ワイヤード多機能リモコン２の設置位置まで移動し操作しなければならない。このわずらわしさを解消するため、本実施例では、ユーザーがワイヤード多機能リモコン２の位置まで移動しなくても、空気調和機１を操作できるように、図２に示すようなワイヤレス簡易リモコン３が備えられている。
【００２０】
ワイヤレス簡易リモコン３は、空気調和機の動作設定にあたり、必要最小限の機能のみ備えたもので、本実施例では、設定温度ＵＰボタン２２、設定温度ＤＯＷＮボタン２３、ルーバー設定ボタン２４、運転／停止ボタン２５の４つのボタンのみで構成されている。即ち、ワイヤレス簡易リモコン３では、設定温度の変更や設定、空気調和機の運転／停止、及びルーバー４〜７の操作が可能に構成されている。
【００２１】
次に、この図２に示すワイヤレス簡易リモコン３を用いた本実施例の空気調和機の制御装置の構成を、図３を用いて説明する。図３は図１に示す空気調和機の平面図（下面図）で、本実施例１における空気調和機の制御構成と制御動作を説明する図である。なお、本実施例における制御装置は、例えば空気調和機１の本体内に設置された制御基板（図示せず）などに設けることができる。
【００２２】
本実施例は、前記ワイヤレス簡易リモコン３に設けられたルーバー設定ボタン２４の操作のみで、前記複数のルーバー４〜７を制御することができるように構成されている。即ち、ユーザーはこのワイヤレス簡易リモコンを用いて、複数のルーバー４〜７のうちの任意のルーバーを選定し、その選定したルーバーの角度（風向き角度または吹出風向角度）の設定やオートスイングの設定などを容易に行えるようにしている。
【００２３】
このワイヤレス簡易リモコン３によるルーバーの制御装置の制御構成（制御動作を含む）を以下、説明する。  
例えば、空気調和機（室内ユニット）１の運転中に、ユーザーがワイヤレス簡単リモコン３のルーバー設定ボタン２４を操作してルーバー４の風向を調整する場合について説明する。
【００２４】
ワイヤレス簡単リモコン３のルーバー設定ボタン２４を操作することにより、空気調和機１に設けられている前記受光部２０が、前記ルーバー設定ボタン２４からの信号を受信すると、ルーバー設定モードとなる。
【００２５】
ルーバー設定モードになると、空気調和機１のコーナーパネル２１に設けられている前記ＬＥＤ表示（ルーバー表示手段）８〜１１が、予め決められた一定時間毎に順番に切替り点灯するように構成されている。そして、ルーバー４と同一配列のＬＥＤ表示８が点灯している時に、前記ルーバー設定ボタン２４を再度操作し、前記受光部２０がその信号を受信すると、ルーバー４を制御対象のルーバーと確定してルーバー４の個別設定モードとなるとなるように構成されている。このルーバー４の個別設定モードになると、ルーバー４がオートスイング状態となるように構成されており、ユーザーが、前記ルーバー４の風向が意図した角度となった時に、前記ルーバー設定ボタン２４を再度操作することにより、前記受光部２０がその信号を受信すると、その操作時の角度にルーバー４の角度は固定され、これによりルーバー４の個別設定ができるように構成されている。
【００２６】
なお、前記ルーバー設定ボタン２４を再度操作するか、或いは無操作のまま一定時間経過すると、ルーバー４は設定された角度に保持された状態で、初期状態に戻り、ＬＥＤ表示８も消灯するように構成すると良い。また、ルーバー４が前記オートスイングしている状態で、前記ルーバー設定ボタン２４の無操作状態が一定時間が経過すると、ルーバー４のオートスイング状態を保持したまま、初期状態に戻る（ＬＥＤ表示８も消灯する）ように構成することもでき、任意のルーバーをオートスイング状態に設定することもできる。
【００２７】
更に、前記ＬＥＤ表示（ルーバー表示手段）８〜１１の表示（点灯）は、前記ルーバー設定ボタン２４の最初の操作により一定時間毎に順次切り替わる。このＬＥＤを表示させる順番は任意に設定しても良いが、本実施例では、前記人感センサー１２〜１５を用いて、前記ＬＥＤを表示（点灯）させる順番を次のように構成している。なお、図３において、１６〜１９は、前記人感センサー１２〜１５のそれぞれの人感センサーが検出できる人感エリアであり、例えば、人感エリア１６の人間の活動量は人感センサー１２により検出することができるようになっている。
【００２８】
本実施例では、コーナーパネル２１に設けた前記人感センサー１２〜１５により、ルーバーの吹出し方向に存在する人間の活動量が検出できるので、活動量検出値が多い方向にはより多くの人間が存在しているか、人間の動きが多いことになる。そこで、人感センサー１２〜１５からの活動量検出値に基づき行い、活動量検出値が多い方向のルーバーを早く操作できるように、前記ＬＥＤ表示８〜１１の点灯順番を、人感センサー１２〜１５の活動量検出値が多い順に点灯させるように構成している。
【００２９】
例えば、人感エリア１７のユーザーが、前記ワイヤレス簡単リモコン３により、ルーバー５の風向調整をする場合について説明する。
【００３０】
ユーザーは、前記ワイヤレス簡単リモコン３のルーバー設定ボタン２４を操作する場合、空気調和機１の受光部２０に向けてリモコン３を操作するため、ユーザーのリモコン操作の動きは、人感エリア１７の活動量を測定する人感センサー１３により検出される。
【００３１】
このため、人感センサー１３の活動量検出値は、他の人感センサー１２，１４，１５による活動量検出値よりも多くなる。この活動量検出値を基に、空気調和機１に設けられている制御装置は人感エリア１７にユーザー（リモコン操作者）がいると認識し、前記ルーバー表示は、前記ＬＥＤ表示８〜１１のうち、人感エリア１７の方向のルーバー５を最初に操作できるよう、ＬＥＤ表示９を優先して点灯させるように構成している。このように、人感センサー１２〜１５を用いて、ルーバー４〜７の操作をする場合、その操作順序を、ユーザーが存在する方向を優先させた順番にすることができる。
【００３２】
また、人感センサー１２〜１５は人間の活動量の検出しかできないため、部屋に複数の人間が動いている場合には、リモコン操作者を特定することができない場合もある。この場合には、人感センサー１２〜１５の中で最も活動量検出値が多いデータをもつ人感エリアに対応したルーバーを優先して操作できるようにする、或いは活動量検出値が多い順に、それに対応したルーバーを操作できるように順位決定しても良い。
【００３３】
なお、前記ＬＥＤ表示（ルーバー表示手段）８〜１１による表示の順序を次のようにしても良い。即ち、各方向のルーバー４〜７の過去の設定回数（操作回数）を前記制御装置に記憶させておき、過去の設定回数の多い方向のルーバー順に、それに対応する前記ＬＥＤ表示８〜１１を表示させるように、表示の優先順位を決定しても良い。
【００３４】
また、ルーバー表示手段である前記ＬＥＤ表示８〜１１は、ルーバーの操作可能状態を報知するためだけに用いるのではなく、ルーバーの操作を必要としない場合には、室内ユニット１の運転状態表示手段、例えば、空気調和機の設定温度の表示として利用しても良い。即ち、室内ユニット１の設定温度が２０℃以下の時は、前記複数のＬＥＤ表示の少なくとも一つを例えば青色表示とし、設定温度が２１〜２４℃の時は緑色、２５℃〜２８℃の時は橙色、２９℃以上の時は赤色などとする。これにより、ワイヤレス簡易リモコン３に液晶表示などの表示手段がなくても、このワイヤレス簡易リモコン３の設定温度ＵＰボタン２２や設定温度ＤＯＷＮボタン２３を使用して、室内温度の設定が可能となる。従って、ワイヤード多機能リモコン２の設定温度表示を見なくても、概略の設定温度を認識することが可能となる。
【００３５】
以上説明したように、本発明の空気調和機の実施例１によれば、上述したように構成しているので、ワイヤレス簡易リモコン３のルーバー設定ボタン２４の操作のみで、操作したいルーバーの選定と、選定したルーバーの風向き角度の設定が可能となり、複数のルーバーの個別設定を容易に行うことができる。
【００３６】
従来、ルーバー角度の個別設定などの操作をするには、ユーザーがワイヤード多機能リモコン２の設置場所まで移動して操作する必要があったが、本実施例によれば、ユーザーが多機能リモコン８の設置場所まで移動することなしに、ワイヤレス簡易リモコン３を用いてルーバー操作を個別設定することができる。また、ワイヤレス簡易リモコン３に設けられた少ない操作ボタンにより、複数のルーバー４〜７を個別に選定して風向き角度を調整するという複雑な操作を、容易に行うことができる。
【００３７】
また、上記実施例では、ルーバー表示手段としての前記ＬＥＤ表示８〜１１を、コーナーパネル２１に、ルーバー４〜７と同一配列となるように纏めて配置している。従って、前記ＬＥＤ表示８〜１１と前記ルーバー４〜７との対応関係を分かり易く表示でき、また前記ＬＥＤ表示８〜１１を１つのコーナーパネル２１に収めることで、見易さが向上すると共に、組立作業性も向上できる。
【００３８】
なお、上述した実施例１では、前記ルーバー４〜７の風向を、上下方向（水平、垂直方向）に調整するものについて説明したが、ルーバーの風向を左右方向（右吹き運転や左吹き運転の横方向）に調整する縦型ルーバーに対しても本発明は同様に適用できる。
【００３９】
また、前記ワイヤレス簡易リモコン３については１個に限らず、２個以上の複数個を備えるようにしても良く、例えば、人感エリア１６〜１９に１個づつ備えるようにすれば、どのエリアからでも容易にルーバー制御等が可能となる。
【００４０】
更に、前記ＬＥＤ表示８〜１１は、１つのコーナーパネル２１に収めるものには限定されず、４つのＬＥＤ表示８〜１１を４隅のコーナーパネル２１に１個づつ設けたり、他の箇所に設けるようにしても良い。
【００４１】
また、前記ＬＥＤ表示８〜１１を設ける代わりに、ワイヤレス簡易リモコン３のルーバー設定ボタン２４の操作により、ルーバー４〜７が１個づつ、一定時間毎に順次オートスイング動作をさせるようにしても、ワイヤレス簡易リモコン３を使用し、操作したいルーバーを選定して、個別に角度を設定することも可能である。
【００４２】
なお、本発明は上記した実施例に限定されるものではなく、様々な変形例が含まれる。例えば、上記実施例では４方向吹出し型の空気調和機を例にとり説明したが、４方向のものには限られず、２方向吹出し型の空気調和機にも同様に適用できる。また、ルーバ表示手段はＬＥＤ表示として説明したが、ＬＥＤ表示に限定されるものではなく、他の光源などによる表示や音声による報知など、操作可能なルーバーを特定できるように報知できるものであれば本発明のルーバー表示手段に含まれるものである。  
更に、上記した実施例は本発明を分かり易く説明するために詳細に説明したものであり、必ずしも説明した全ての構成を備えるものに限定されるものではない。  
また、各機能を実現するプログラム、各判定値、各設定時間等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００４３】
１：室内ユニット、１ａ：化粧パネル、
２：ワイヤード多機能リモコン、３：ワイヤレス簡易リモコン、
４〜７：ルーバー、
８〜１０：ＬＥＤ表示、
１２〜１５：人感センサー、
１６〜１９：人感エリア、
２０：受光部、２１：コーナーパネル、
２２：設定温度ＵＰボタン、２３：設定温度ＤＯＷＮボタン、
２４：ルーバー設定ボタン、２５：運転／停止ボタン。
【図１】
2015114031.tif 000003
【図２】
2015114031.tif 000004
【図３】
2015114031.tif 000005